(57)【特許請求の範囲】
【請求項１】
開口枠で形成された開口部を前面に有するとともに、複数枚の基板を収納可能な容器本体と、
前記開口部を閉鎖する蓋体と、を備える基板収納容器において、
前記容器本体は、前記開口枠、背面壁、右側壁、左側壁、天面壁及び底面壁を含む箱状であり、
前記各壁は、前記背面壁側の肉厚よりも、前面の前記開口枠側の肉厚が薄い
ことを特徴とする基板収納容器。
【請求項２】
前記各壁は、前記背面壁側から前記開口枠側まで、段階的に薄肉化した肉厚を有する
ことを特徴とする請求項１に記載の基板収納容器。
【請求項３】
前記各壁は、前記背面壁側から前記開口枠側まで、０．５ｍｍ以上１．５ｍｍ以下の差の範囲内で段階的に薄肉化した肉厚を有する
ことを特徴とする請求項２に記載の基板収納容器。
【請求項４】
前記各壁は、前記背面壁側から前記開口枠側まで、段差のない偏肉状に薄肉化した肉厚を有する
ことを特徴とする請求項１に記載の基板収納容器。
【請求項５】
前記開口枠及び前記各壁は、最厚肉部が３ｍｍ以上７ｍｍ以下である
ことを特徴とする請求項１から４までのいずれか１項に記載の基板収納容器。
【請求項６】
前記開口枠及び前記各壁は、最薄肉部は０．５ｍｍ以上２ｍｍ以下である
ことを特徴とする請求項１から５までのいずれか１項に記載の基板収納容器。
【請求項７】
前記開口枠は、前記容器本体とは別の部品であって、前記容器本体に一体化されている
ことを特徴とする請求項１から６までのいずれか１項に記載の基板収納容器。
【請求項８】
前記開口枠は、前記各壁の肉厚よりも薄い肉厚を有する
ことを特徴とする請求項１から７までのいずれか１項に記載の基板収納容器。
【発明の詳細な説明】
【技術分野】
【０００１】
本発明は、複数枚の基板を収納する基板収納容器に関する。
【背景技術】
【０００２】
基板収納容器は、半導体ウエハなどの基板を内部空間に収納し、倉庫での保管、半導体加工装置間での搬送、工場間での輸送などに使用されている。この基板収納容器は、開口部を有する容器本体と、開口部を閉鎖する蓋体とから構成され、このうち容器本体は、射出成形により成形されている。【０００３】
この容器本体を射出成形する場合、樹脂を注入するため、開口部とは反対側の背面壁側に、１又は複数のゲートが設けられている（特許文献１及び２参照）。また、射出成形による成形品では、冷却時の収縮を均等にするため、また、反りやヒケを抑制するため、容器本体を構成する各壁は、一定の厚みとされている。
【先行技術文献】
【特許文献】
【０００４】
【特許文献１】特開平１１−２０８７６６号公報
【特許文献２】特開２００７−３３２２７１号公報
【発明の概要】
【発明が解決しようとする課題】
【０００５】
しかしながら、容器本体を構成する各壁が、一定の厚みで形成されていると、ゲート付近（背面壁付近）と、ゲートから遠い末端付近（開口枠付近）とでは、樹脂の到達時間が異なるため、時間経過とともに発生するスキン層の厚みが異なり、結果的に冷却完了後に残留応力の分布に差が生じ易く、反りや変形が生じるおそれがあった。【０００６】
そこで、本発明は以上の課題に鑑みてなされたものであり、容器本体の寸法安定性を向上させることができる形状の基板収納容器を提供することを目的とする。
【課題を解決するための手段】
【０００７】
（１）本発明に係る１つの態様は、開口枠で形成された開口部を前面に有するとともに、複数枚の基板を収納可能な容器本体と、前記開口部を閉鎖する蓋体と、を備える基板収納容器において、前記容器本体は、前記開口枠、背面壁、右側壁、左側壁、天面壁及び底面壁を含む箱状であり、前記各壁は、前記背面壁側の肉厚よりも、前面の前記開口枠側の肉厚が薄いものである。
（２）上記（１）の態様において、前記各壁は、前記背面壁側から前記開口枠側まで、段階的に薄肉化した肉厚を有してもよい。
（３）上記（２）の態様において、前記各壁は、前記背面壁側から前記開口枠側まで、０．５ｍｍ以上１．５ｍｍ以下の差の範囲内で段階的に薄肉化した肉厚を有してもよい。
（４）上記（１）の態様において、前記各壁は、前記背面壁側から前記開口枠側まで、段差のない偏肉状に薄肉化した肉厚を有してもよい。
（５）上記（１）から（４）までのいずれか１つの態様において、前記開口枠及び前記各壁は、最厚肉部が３ｍｍ以上７ｍｍ以下であってもよい。
（６）上記（１）から（５）までのいずれか１つの態様において、前記開口枠及び前記各壁は、最薄肉部は、０．５ｍｍ以上２ｍｍ以下であってもよい。
（７）上記（１）から（６）までのいずれか１つの態様において、前記開口枠は、前記容器本体とは別の部品であって、前記容器本体に一体化されてもよい。
（８）上記（１）から（７）までのいずれか１つの態様において、前記開口枠は、前記各壁の肉厚よりも薄い肉厚を有してもよい。
【発明の効果】
【０００８】
本発明によれば、容器本体の寸法安定性を向上させることができる形状の基板収納容器を提供することができる。
【図面の簡単な説明】
【０００９】
【図１】本発明に係る実施形態の基板収納容器を示す分解斜視図である。
【図２】実施形態の容器本体を示す正面図である。
【図３】実施形態の容器本体を示す底面図である。
【図４】射出成形用の金型を示す概略図である。
【図５】実施形態における各壁及び開口枠の肉厚の状態を示す概略水平断面図である。
【図６】従来技術における各壁及び開口枠の肉厚の状態を示す概略水平断面図である。
【発明を実施するための形態】
【００１０】
以下、本発明の実施形態について、図面を参照して詳細に説明する。なお、本明細書の実施形態においては、全体を通じて、同一の部材には同一の符号を付している。また、図面中に、正面Ｆ（開口枠２ａ）の方向及び後方Ｂ（背面壁２ｂ）の方向を、実線矢印で示している。また、左右は、正面Ｆから見た状態を指すものとする。
【００１１】
まず、基板収納容器１の概略について説明する。図１は、本発明に係る実施形態の基板収納容器１を示す分解斜視図である。図２は、実施形態の容器本体２を示す正面図である。図３は、実施形態の容器本体２を示す底面図である。
【００１２】
図１に示される基板収納容器１は、複数枚の基板Ｗを収納する容器本体２と、この容器本体２の開口部に着脱自在に装着される蓋体４と、を備えている。この基板収納容器１に収納される基板Ｗは、直径３００ｍｍ又は直径４５０ｍｍの半導体ウエハやマスクガラスなどである。
【００１３】
容器本体２は、正面Ｆの開口部を形成する開口枠２ａと、背面壁２ｂと、右側壁２ｃと、左側壁２ｄと、天面壁２ｅと、底面壁２ｆとを含む箱状のものであり、いわゆるフロントオープンボックスタイプのものである。
【００１４】
蓋体４は、開口枠２ａの開口部に装着されるもので、図示しないシールガスケットが容器本体２の開口枠２ａに対向するように取り付けられている。この蓋体４を容器本体２に装着した際、シールガスケットは容器本体２と蓋体４との間の周縁部に密着し、基板収納容器１の内部空間の気密性を維持するように構成されている。
【００１５】
また、蓋体４は、筐体とカバープレートと重ね合わせて形成されており、これらの内側には、出没可能なラッチ（施錠）機構（図示なし）が設けられている。ラッチ機構は、蓋体開閉装置による自動開閉を行うために設けられており、突出部が突出することで蓋体４を容器本体２に係止される。このラッチ機構は、蓋体４の上下の２辺にそれぞれ２箇所設けられている。
【００１６】
容器本体２の開口枠２ａには、ラッチ機構に対応する位置に、突出部を係止するための開口などの被係止部が形成されている。
【００１７】
背面壁２ｂには、更に後方Ｂに突出する突出部２Ｐが左右両側に形成されている（図３参照）。この突出部２Ｐは、容器本体２の正面Ｆの開口部を上向きにして載置される際に、脚部として機能する。
【００１８】
また、容器本体２の背面壁２ｂの中央外側には、収納された基板Ｗの枚数の補助となる目盛りなどが表示される（図１参照）。
【００１９】
さらに、容器本体２の右側壁２ｃ及び左側壁２ｄの外側の中央付近には、握持操作用に機能するグリップ２３がそれぞれ取り付けられている。
【００２０】
また、容器本体２の右側壁２ｃ及び左側壁２ｄの内側には、収納される基板Ｗを水平に支持する左右一対の支持片２１がそれぞれ複数設けられ、右側壁２ｃ及び左側壁２ｄの内側の後方Ｂ側には、基板Ｗを後方Ｂに向けて挿入した際に、基板Ｗの挿入位置を規制する位置規制部２２がそれぞれ設けられている。
【００２１】
この左右一対の支持片２１は、上下方向に所定のピッチで配列され、各支持片２１が基板Ｗの周縁を支持する細長い板状に形成されている。実施形態では、２５枚の基板Ｗが支持できるように支持片２１が設けられているが、基板Ｗの最大収納枚数は２５枚に限らない。
【００２２】
これらの支持片２１は、右側壁２ｃ又は左側壁２ｄの成形時に同時に形成される。ただし、支持片２１を、右側壁２ｃ及び左側壁２ｄに対して別部品として形成し、嵌合などにより右側壁２ｃ又は左側壁２ｄに取り付けてもよいし、インサート成形により一体成形してもよい。
【００２３】
容器本体２の天面壁２ｅの外側には、ロボティックフランジなどのトップフランジ２５が取り付けられている。このトップフランジ２５は、例えば、半導体製造工場の天井搬送車に把持され、工程間を搬送されたり、半導体加工装置などの蓋体開閉装置の位置決めに利用されたりする。
【００２４】
容器本体２の底面壁２ｆには、図３に示すように、３つの給気部材５０と１つの排気部材６０とが設けられている。これらの給気部材５０及び排気部材６０は、基板収納容器１の外部から内部空間に又は内部空間から外部に気体を流通させることにより、収納した基板Ｗの表面の変質を抑制したり、基板収納容器１の内部空間と外部との圧力差を解消したりするように機能する。
【００２５】
このうち、２つの給気部材５０が、底面壁２ｆの後方Ｂの左右両側に設けられており、また、１つの給気部材５０と、１つの排気部材６０とが、底面壁２ｆの正面Ｆ付近の左又は右側に設けられている。そして、これらの給気部材５０に、基板収納容器１の内部空間の環境を変化させる各種の機能ユニット、例えば、気体置換ユニット３Ｒ，３Ｌ、バルブユニット、閉塞ユニット、小径フィルタユニット、大径フィルタユニットなどが接続されている。なお、給気部材５０及び排気部材６０の配置や数量は、図示したものに限らず、例えば、正面Ｆ付近の給気部材５０は、排気部材６０として使用される場合もある。また、給気部材５０及び排気部材６０は、蓋体４取り付けられることもある。
【００２６】
気体置換ユニット３Ｒ，３Ｌは、容器本体２の内部空間を気体で置換するもので、基板Ｗが挿入された状態でも基板Ｗと干渉しないように、容器本体２の後方Ｂ（背面壁２ｂ又は突出部付近）の左右両側に、長手方向を上下方向にして設けられている（図１及び２参照）。）
【００２７】
この気体置換ユニット３Ｒ，３Ｌは、容器本体２の内部空間に気体を吹出す複数の吹出孔が上下方向に設けられており、３方向に吹出すようになっている。ただし、気体置換ユニット３Ｒ，３Ｌの吹出す方向は、これに限らず、蓋体４側への１方向や上下方向（天面壁２ｅ及び底面壁２ｆ）を除いた全方向であってもよい。また、左右２箇所に設けることなく、例えば、２つの気体置換ユニット３Ｒ，３Ｌが、容器本体２の後方Ｂ（背面壁２ｂ又は突出部２Ｐ付近）の略全面にわたって面状に連結されたような機能ユニットであってもよい。吹出す気体としては、不活性ガスやドライエアが挙げられる。さらに、不活性ガスとしては、窒素ガス、アルゴンガスなどが挙げられるが、コスト面から窒素ガスが好ましい。
【００２８】
また、容器本体２の底面壁２ｆの外側には、容器本体２を位置決め、載置するためのボトムプレート２６が取り付けられている。
【００２９】
上述のほか、容器本体２の開口枠２ａ、背面壁２ｂ、右側壁２ｃ、左側壁２ｄ、天面壁２ｅ及び底面壁２ｆには、図示され（図１の左側壁２ｄの外面参照）又は図示されない補強リブ２ｒが適宜の箇所に設けられている。
【００３０】
容器本体２や蓋体４、また、グリップ２３、トップフランジ２５、ボトムプレート２６などの付属品は、所要の樹脂を含有する成形材料により射出成形されたり、射出成形された複数の部品の組み合わせにより構成されたりする。成形材料に含まれる樹脂としては、例えばポリカーボネート、シクロオレフィンポリマー、ポリエーテルイミド、ポリエーテルケトン、ポリエーテルエーテルケトン、ポリブチレンテレフタレート、ポリアセタール、液晶ポリマーといった熱可塑性樹脂やこれらのアロイなどが挙げられる。
【００３１】
また、これらの樹脂には、カーボン繊維、カーボンパウダー、カーボンナノチューブ、導電性ポリマーなどからなる導電性物質やアニオン、カチオン、非イオン系などの各種帯電防止剤が必要に応じて添加される。さらに、紫外線吸収剤や、剛性を向上させる強化繊維なども必要に応じて添加される。
【００３２】
なお、容器本体２、蓋体４、グリップ２３、トップフランジ２５及びボトムプレート２６などは、透明、不透明、半透明のいずれでもよいが、容器本体２又は蓋体４の少なくとも一方は、一部が透明であることが好ましい。例えば、背面壁２ｂは、非導電性材料による形成された透明な窓部を有していてもよい。この透明な窓部は、容器本体２の成形時に、インサート成形により一体成形されるとよい。
【００３３】
ここで、凹型２１０及び凸型２２０の金型２００を用いた射出成形による容器本体２の製造方法について簡単に説明する。図４は、射出成形用の金型２００を示す概略図である。
【００３４】
容器本体２は、凹型２１０及び凸型２２０の金型２００を用いた射出成形により成形される。この射出成形用の金型２００では、図４に示されるように、凹型２１０に連結された射出ノズル（図示なし）からスプルーＳ、ランナーＲ及びゲート（樹脂注入部分）Ｇを介して、凹型２１０及び凸型２２０との間に形成される、容器本体２の成形用キャビティにプラスチック樹脂が送通される。
【００３５】
ゲートＧは、背面壁２ｂに形成される左右の突出部２Ｐにおける、天面壁２ｅ及び底面壁２ｆ付近にそれぞれ設けられる。ただし、ゲートＧの個数は、４つに限らず、例えば、左右の突出部２Ｐにおける、天面壁２ｅ及び底面壁２ｆを結ぶ上下方向の中間位置などに設けて、左右の２つとしてもよいし、背面壁２ｂの左右方向及び上下方向の中央部に１つだけ設けてもよい。
【００３６】
なお、ゲートＧは、スプルーＳ及びランナーＲを介して射出ノズルにつながったものでなく、射出ノズルに直接つながるスプルーゲート（ダイレクトゲート）、あるいは、射出ノズルに直接つながるゲートをバルブロッドで開閉制御（開口量の調整を）するバルブゲートであってもよい。
【００３７】
つぎに、容器本体２を構成する各壁２ｂ〜２ｆ及び開口枠２ａの肉厚について説明する。図５は、実施形態における各壁２ｂ〜２ｆ及び開口枠２ａの肉厚の状態を示す概略水平断面図である。図６は、従来技術における各壁２ｂ’〜２ｆ’及び開口枠２ａ’の肉厚の状態を示す概略水平断面図である。
【００３８】
背面壁２ｂでは、ゲートＧ付近の突出部２Ｐの領域が、第１肉厚部ｔ１となっており、突出部２Ｐ同士の間が第２肉厚部ｔ２となっている。なお、背面壁２ｂの、天面壁２ｅ及び底面壁２ｆを結ぶ上下方向についても、それぞれ同じ肉厚を有している。
【００３９】
ただし、背面壁２ｂに透明な窓部をインサート成形する場合は、この透明な窓部のみ厚みをｔ２に対して異ならせもよいし（例えば、透明な窓部の厚みを第１肉厚部ｔ１と同じ厚みとしてもよい。）、周囲の第２肉厚部ｔ２と同じ厚みのままでもよい。
【００４０】
右側壁２ｃ、左側壁２ｄ、天面壁２ｅ及び底面壁２ｆでは、背面壁２ｂから図示されない支持片２１の後方Ｂ側の端部付近までの領域が、第１肉厚部ｔ１となっている。
【００４１】
また、右側壁２ｃ、左側壁２ｄ、天面壁２ｅ及び底面壁２ｆにおける、支持片２１の後方Ｂ側の端部付近から正面Ｆ側の端部付近までの領域は、第２肉厚部ｔ２となっている。ただし、図５に示されていない天面壁２ｅ及び底面壁２ｆには、支持片２１が形成されていないため、この場合の天面壁２ｅ及び底面壁２ｆの領域は、支持片２１を上下方向に投影したときのことである。
【００４２】
さらに、右側壁２ｃ、左側壁２ｄ、天面壁２ｅ及び底面壁２ｆにおける、支持片２１の正面Ｆ側の端部付近から開口枠２ａまでの領域が、第３肉厚部ｔ３となっている。
【００４３】
そして、開口枠２ａは、第４肉厚部ｔ４となっている。
【００４４】
ここで、第１肉厚部ｔ１の肉厚は、第２肉厚部ｔ２の肉厚より厚く、第２肉厚部ｔ２の肉厚は、第３肉厚部ｔ３の肉厚より厚く、第３肉厚部ｔ３の肉厚は、第４肉厚部ｔ４の肉厚より厚くなっている。また、第１肉厚部ｔ１と第２肉厚部ｔ２との間などの各段差部は、直線状になっている（つまり、各肉厚部ｔ１〜ｔ４において、図５における紙面の表裏面方向の厚みは、それぞれ一定である。）。
【００４５】
言い換えると、各壁２ｂ〜２ｆは、背面壁２ｂ側の肉厚よりも、前面の開口枠２ａ側の肉厚が薄くなっている。また、開口枠２ａは、各壁２ｂ〜２ｆの肉厚よりも薄い肉厚を有している。ただし、容器本体２に設けられた補強リブ２ｒも、原則的には開口枠２ａ及び各壁２ｂ〜２ｆの各肉厚部ｔ１〜ｔ４の肉厚と同じ肉厚であるが、補強リブ２ｒの一部を、ヒケ防止のために、開口枠２ａ及び各壁２ｂ〜２ｆの各肉厚部ｔ１〜ｔ４の肉厚よりも薄肉にしてもよい。
【００４６】
なお、本実施形態では、各壁２ｂ〜２ｆは、第１肉厚部ｔ１から第４肉厚部ｔ４まで段階的に薄肉化した４段階の肉厚を有するものであったが、２段階又は３段階であってもよく、５段階以上であってもよい。また、最厚肉部となる第１肉厚部ｔ１の肉厚は、３ｍｍ以上７ｍｍ以下の範囲であるとよく、最薄肉部となる第４肉厚部ｔ４の肉厚は、０．５ｍｍ以上２．５ｍｍ以下の範囲であるとよい。例えば、第１肉厚部ｔ１の肉厚を５ｍｍ、第２肉厚部ｔ２の肉厚を４ｍｍ、第３肉厚部ｔ３の肉厚を３ｍｍ、第４肉厚部ｔ４の肉厚を２．５ｍｍとすればよい。このように、隣接する段階ごとの肉厚差は、すべて１ｍｍで薄肉化する必要がなく、０．５ｍｍ以上１．５ｍｍ以下の範囲内で、段階ごとに異なる肉厚差で薄肉化されてもよい。
【００４７】
また、右側壁２ｃ、左側壁２ｄ、天面壁２ｅ及び底面壁２ｆにおいて、各肉厚部ｔ１〜ｔ４の位置及びその肉厚は、それぞれ同一であることが好ましいが、上述したように容器本体２の内部や外部には、支持片２１、グリップ２３、トップフランジ２５及びボトムプレート２６などが設けることから、右側壁２ｃ及び左側壁２ｄは左右対称であるものの、各壁２ｃ〜２ｆ間で異なるため、各肉厚部ｔ１〜ｔ４の位置及びその肉厚は、それぞれ異なっていてもよい。さらに、支持片２１、グリップ２３、トップフランジ２５及びボトムプレート２６などを設けるために、背面壁２ｂ、右側壁２ｃ、左側壁２ｄ、天面壁２ｅ及び底面壁２ｆにおいて厚肉化した部分は、薄肉化することなく、設定した肉厚を維持するようにするとよい。
【００４８】
特に、容器本体２の成形材料として液晶ポリマーを採用すると、肉厚が薄いほど、高分子鎖の配向性の強いスキン層の割合が多くなり、単位断面積当たりの強度が高くなるため、開口枠２ａ及び各壁２ｂ〜２ｆを、３ｍｍから０．５ｍｍの肉厚で形成したとしても、容器本体２として十分な強度を得ることができる。
【００４９】
また、従来技術における容器本体２'を構成する各壁２ｂ’〜２ｆ’及び開口枠２ａ’の肉厚はいずれも、図６に示すように、ｔ０で一定である。
【００５０】
以上、説明したとおり、本発明に係る実施形態の基板収納容器１は、開口枠２ａで形成された開口部を前面に有するとともに、複数枚の基板Ｗを収納可能な容器本体２と、開口部を閉鎖する蓋体４と、を備える基板収納容器１において、容器本体２は、開口枠２ａ、背面壁２ｂ、右側壁２ｃ、左側壁２ｄ、天面壁２ｅ及び底面壁２ｆを含む箱状であり、各壁２ｂ〜２ｆは、背面壁２ｂ側の肉厚よりも、前面の開口枠２ａ側の肉厚が薄いものである。これにより、支持片２１を右側壁２ｃ及び左側壁２ｄに一体で成形した場合でも、樹脂の流動性が向上していることから、開口枠２ａ側から樹脂が回り込んで来ることがなく、支持片２１の位置に対応する右側壁２ｃ及び左側壁２ｄの外側面にウェルドができることがない。ウェルドが発生しないため、高温のガスが溜まることもなく、金型２００が腐食することもなくなる。
【００５１】
また、各壁２ｂ〜２ｆにおいて、ゲートＧ付近となる後方Ｂの背面壁２ｂ側の肉厚よりも、ゲートから遠い末端付近となる正面Ｆの開口枠２ａ側の肉厚が薄いため、注入時の樹脂流動性が向上するから、成形時の金型２００内におけるゲートＧ付近と、開口枠２ａの先端付近との圧力差を小さくすることができる。そのため、容器本体２全体にわたる残留応力の差が小さくなり、容器本体２の反りや変形を極力小さくすることができる。
【００５２】
さらに、ゲートＧ付近と、開口枠２ａ付近との圧力差が小さくなると、成形時に金型２００内の樹脂に加える保圧も均一に作用するため、容器本体２の寸法・形状を高精度になり、また、精度も安定するようになる。その結果、成形品（容器本体２）の冷却時間を各所において一律（一定）に近づけることができる。そして、冷却時間を一律にできれば、従来の一定肉厚の容器本体２よりも冷却時間を短縮することができる。成形時の冷却時間を短縮できれば、生産性の向上にもつながる。
【００５３】
くわえて、背面壁２ｂ側よりも開口枠２ａ側が薄い肉厚を有するため、開口枠２ａ側を軽量化することができ、容器本体２の重心を背面壁２ｂ側（中心側）に寄せることができる。容器本体２の重心が、背面壁２ｂ側となると、基板収納容器１の重心も背面壁２ｂ側に近づくため、重い蓋体４を容器本体２に取り付けても、開口枠２ａ（蓋体４）側が下方を向き難くなり、基板収納容器１を搬送装置やロボットで搬送する際に、姿勢を安定化させることができる。
【００５４】
実施形態では、各壁２ｂ〜２ｆは、背面壁２ｂ側から開口枠２ａ側まで、段階的に薄肉化した肉厚を有する。また、実施形態では、各壁２ｂ〜２ｆは、背面壁２ｂ側から開口枠２ａ側まで、０．５ｍｍ以上１．５ｍｍ以下の差の範囲内で（例えば、段階前後の差が、１ｍｍごとや、０．５ｍｍ及び１．０ｍｍの組み合わせ）で段階的に薄肉化した肉厚を有する。これにより、容器本体２を成形するための、凹型２１０及び凸型２２０の金型２００の加工精度を向上させることができる。
【００５５】
実施形態では、各壁２ｂ〜２ｆは、背面壁２ｂ側から開口枠２ａ側まで、段差のない偏肉状に薄肉化した肉厚を有する。これにより、各壁２ｂ〜２ｆにおいて応力集中する部分が少なくなり、容器本体２の強度を向上させることができる。
【００５６】
実施形態では、開口枠２ａ及び各壁２ｂ〜２ｆは、最厚肉部が３ｍｍ以上７ｍｍ以下である。これにより、容器本体２の強度を向上させることができるとともに、重量を軽量化することができる。
【００５７】
実施形態では、開口枠２ａ及び各壁２ｂ〜２ｆは、最薄肉部が０．５ｍｍ以上２ｍｍ以下である。これにより、容器本体２の強度を維持することができるとともに、重量を軽量化することができる。
【００５８】
実施形態では、開口枠２ａは、各壁２ｂ〜２ｆの肉厚よりも薄い肉厚を有する。これにより、開口枠２ａの重量を軽量化することができるから、基板収納容器１の重心を中心方向に近づけることができる。そのため、基板収納容器１の搬送・移送を安定化させることができる。
【００５９】
以上、本発明の好ましい実施形態について詳述したが、本発明は上述した実施形態に限定されるものではなく、特許請求の範囲に記載された本発明の要旨の範囲内において、種々の変形、変更が可能である。
【００６０】
（変形例）
上記実施形態では、各壁２ｂ〜２ｆにおける第１肉厚部ｔ１と第２肉厚部ｔ２との間などの各段差部は、直線状になっていたが、ゲートＧから離れる方向に向かって凸の円弧状になっていてもよい。これにより、樹脂の流動性（流速）をより均一にすることができる。
【００６１】
上記実施形態では、各壁２ｂ〜２ｆは、背面壁２ｂ側から開口枠２ａ側まで、段階的に薄肉化した肉厚を有するものであったが、段差のない偏肉状に薄肉化した肉厚を有するものであってもよい。そして、偏肉状に薄肉化させる割合は、直線的であっても、曲線的であってもよく、つまり、各壁２ｂ〜２ｆの肉厚が、背面壁２ｂ側から開口枠２ａ側に向けて薄肉化していればよい。
【００６２】
上記実施形態では、開口枠２ａは、各壁２ｂ〜２ｆとともに射出成形により容器本体２に形成されていたが、開口枠２ａを、容器本体２とは別の部品で形成し、背面壁２ｂ、右側壁２ｃ、左側壁２ｄ、天面壁２ｅ、底面壁２ｆで構成される容器本体２に、インサート成形により一体化してもよい。開口枠２ａを容器本体２とは別の部品で形成することで、開口枠２ａの肉厚を、各壁２ｂ〜２ｆの肉厚とは無関係に設計することができるため、開口枠２ａを、各壁２ｂ〜２ｆの肉厚よりも厚い肉厚を有するものとすることもできる。そのため、開口枠２ａの強度をより向上させることもできる。
【符号の説明】
【００６３】
１      基板収納容器
２      容器本体
２ａ  開口枠、２ｂ  背面壁、２ｃ  右側壁、２ｄ  左側壁、２ｅ  天面壁、２ｆ  底面壁、２１  支持片、２２  位置規制部、２３  グリップ、２５  トップフランジ、２６  ボトムプレート、２Ｐ  突出部
３Ｒ，３Ｌ    気体置換ユニット
４      蓋体
５０    給気部材
６０    排気部材
２００  金型、２１０  凹型、２２０  凸型
Ｇ      ゲート、Ｒ  ランナー、Ｓ  スプルー
ｔ１  第１肉厚部、ｔ２  第２肉厚部、ｔ３  第３肉厚部、ｔ４  第４肉厚部
Ｗ      基板
【要約】
本発明は、開口枠（２ａ）で形成された開口部を前面に有するとともに、複数枚の基板（Ｗ）を収納可能な容器本体（２）と、開口部を閉鎖する蓋体と、を備える基板収納容器において、容器本体（２）は、開口枠（２ａ）、背面壁（２ｂ）、右側壁（２ｃ）、左側壁（２ｄ）、天面壁（２ｅ）及び底面壁（２ｆ）を含む箱状であり、各壁（２ｂ〜２ｆ）は、背面壁（２ｂ）側の肉厚よりも、前面の開口枠（２ａ）側の肉厚が薄いものである（ｔ１＞ｔ２＞ｔ３＞ｔ４）。これにより、容器本体の寸法安定性を向上させることができる形状の基板収納容器を提供する。【図１】
0006578551.tif 000002
【図２】
0006578551.tif 000003
【図３】
0006578551.tif 000004
【図４】
0006578551.tif 000005
【図５】
0006578551.tif 000006
【図６】
0006578551.tif 000007